(57)【特許請求の範囲】
【請求項１】
取引装置の外面に設けられ所定の位置にセットされた帳票の画像を読み取る読取部と、
前記取引装置に設けられ前記取引装置に挿入されたカードに付された磁気情報に含まれる口座番号を読み取るとともに前記カードの画像を読み取るカード読取部と、
前記読取部から前記帳票の画像を取得し、前記帳票の画像にもとづき取引情報を生成する読取制御部と、
前記取引情報と前記口座番号とにもとづいて口座引き落としの取引をした取引履歴情報と前記磁気情報を読み取ったカードの画像と前記取引情報を検出した帳票の画像とを対応づけて記憶部に記憶する取引情報制御部と、
を備える取引装置。
【請求項２】
前記帳票は、所定の規格にもとづいて定められた位置に前記取引情報を含む認識情報領域を有し、
前記読取部は、前記規格にもとづいて前記認識情報領域を検出し、文字認識をおこなって前記認識情報領域の文字を検出し、前記取引情報を生成する、
請求項１記載の取引装置。
【請求項３】
前記取引履歴情報は、前記取引装置の操作の履歴に関する情報である、
請求項１記載の取引装置。
【請求項４】
前記記憶部に記憶された前記取引履歴情報と前記帳票の画像とを送信する送信要求を受信し、前記送信要求の送信元に対して前記記憶部に記憶された前記取引履歴情報と前記帳票の画像とを送信するインタフェース、
を備える請求項１記載の取引装置。
【請求項５】
読取部とカード読取部と読取制御部と取引情報制御部とを備えた取引装置における取引方法であって、
前記読取部は、前記取引装置の外面に設けられ所定の位置にセットされた帳票の画像を読み取り、
前記カード読取部は、前記取引装置に設けられ前記取引装置に挿入されたカードに付された磁気情報に含まれる口座番号を読み取るとともに前記カードの画像を読み取り、
前記読取制御部は、前記読取部から前記帳票の画像を取得し、前記帳票の画像にもとづき取引情報を生成し、
前記取引情報制御部は、前記取引情報と前記口座番号とにもとづいて口座引き落としの取引をした取引履歴情報と前記磁気情報を読み取ったカードの画像と前記取引情報を検出した帳票の画像とを対応づけて記憶部に記憶する、
取引方法。
【請求項６】
読取部とカード読取部と読取制御部と取引情報制御部とを備えた取引装置における取引プログラムであって、
前記読取部は、前記取引装置の外面に設けられ所定の位置にセットされた帳票の画像を読み取り、
前記カード読取部は、前記取引装置に設けられ前記取引装置に挿入されたカードに付された磁気情報に含まれる口座番号を読み取るとともに前記カードの画像を読み取り、
前記読取制御部は、前記読取部から前記帳票の画像を取得し、前記帳票の画像にもとづき取引情報を生成し、
前記取引情報制御部は、前記取引情報と前記口座番号とにもとづいて口座引き落としの取引をした取引履歴情報と前記磁気情報を読み取ったカードの画像と前記取引情報を検出した帳票の画像とを対応づけて記憶部に記憶する、
処理を実行させる取引プログラム。
【発明の詳細な説明】
【技術分野】
【０００１】
本発明は、取引装置、取引方法および取引プログラムに関する。
【背景技術】
【０００２】
金融取引を行う取引装置として、金融機関等で用いられる現金自動預払機（ＡＴＭ；Automated Teller Machine、以下ＡＴＭと記載する）が知られており、近年ではペイジー（登録商標）に代表される帳票の自動決済サービスに対応する機種も存在する。
【０００３】
自動決済サービスに対応する払込取扱票などの帳票には、収納機関番号などの取引を識別する番号が印刷されており、利用者は、操作画面あるいは操作キーを用いて取引を識別する番号を入力して取引を行う。このような取引の内容の履歴情報は、ジャーナルデータとして記憶装置に記憶される。利用者は、帳票を見て取引を識別する番号を入力した後、その帳票を持ち帰っているため、ＡＴＭには帳票に記載された情報は残らなかった。
【０００４】
従来、ＡＴＭを利用する顧客が金銭取引との関連付けを希望する物を、ＡＴＭのスキャナで画像として読み取り、金銭取引の取引履歴情報と画像とを関連づけて管理する技術が知られている。
【先行技術文献】
【特許文献】
【０００５】
【特許文献１】特開２０１０−２８２２６３号公報
【発明の概要】
【発明が解決しようとする課題】
【０００６】
従来、利用者がＡＴＭ利用後に帳票を持ち帰りＡＴＭに帳票が残らない場合、金融機関等において取引後に取引履歴情報と帳票とを対比してチェックすることはできなかった。
また、従来技術（特許文献１）は、金銭取引と関連付ける画像を、利用者が自由に選択できるため、金融機関等における取引内容の整合性の調査には不向きであった。
【０００７】
一側面では、本発明は、取引履歴情報に含まれる取引情報と取引に用いた帳票の画像との整合がとれる取引装置、取引方法および取引プログラムを提供することを目的とする。
【課題を解決するための手段】
【０００８】
上記目的を達成するために、以下に示すような取引装置を提供する。取引装置は、読取部と、カード読取部と、読取制御部と、取引情報制御部と、記憶部とを備える。読取部は、取引装置の外面に設けられ所定の位置にセットされた帳票の画像を読み取る。カード読取部は、取引装置に設けられ取引装置に挿入されたカードに付された磁気情報に含まれる口座番号を読み取るとともにカードの画像を読み取る。読取制御部は、読取部から帳票の画像を取得し、帳票の画像にもとづき取引情報を生成する。取引情報制御部は、取引情報と口座番号とにもとづいて口座引き落としの取引をした取引履歴情報と磁気情報を読み取ったカードの画像と取引情報を検出した帳票の画像とを対応づけて記憶部に記憶する。
【発明の効果】
【０００９】
一態様によれば、取引履歴情報に含まれる取引情報と取引に用いた帳票の画像との整合がとれる取引装置、取引方法および取引プログラムを提供できる。
【図面の簡単な説明】
【００１０】
【図１】第１の実施形態の取引装置の構成の一例を示す図である。
【図２】第２の実施形態の取引システムの一例を示す図である。
【図３】第２の実施形態のＡＴＭのハードウェア構成の一例を示す図である。
【図４】第２の実施形態のＡＴＭの機能ブロックの構成の一例を示す図である。
【図５】第２の実施形態の帳票の一例を示す図である。
【図６】第２の実施形態の取引履歴情報（口座引き落とし）の一例を示す図である。
【図７】第２の実施形態の取引履歴情報（現金）の一例を示す図である。
【図８】第２の実施形態の顧客操作部の取引選択画面の一例を示す図である。
【図９】第２の実施形態の顧客操作部の帳票セット指示画面の一例を示す図である。
【図１０】第２の実施形態の顧客操作部の取引内容表示画面の一例を示す図である。
【図１１】第２の実施形態の帳票取引処理のフローチャートを示す図である。
【図１２】第２の実施形態の帳票画像読取処理のフローチャートを示す図である。
【図１３】第２の実施形態の帳票文字読取処理のフローチャートを示す図である。
【図１４】第２の実施形態の収納処理のフローチャートを示す図である。
【発明を実施するための形態】
【００１１】
以下、図面を参照して実施の形態を詳細に説明する。
［第１の実施形態］
まず、第１の実施形態の取引装置について図１を用いて説明する。図１は、第１の実施形態の取引装置の構成の一例を示す図である。
【００１２】
取引装置１は、読取部３と、読取制御部４と、取引情報制御部５と、記憶部６とを含む。取引装置１は、利用者によって帳票７を用いた取引が指示されたときは、帳票７から読み取った取引情報にもとづいて取引処理を実行する。読取対象の帳票７は、例えば、税金等の公金や、各種請求を決済する取引に用いるものであり、所定の規格に基づいて、収納機関番号、利用者の識別番号等の取引情報が所定の位置に所定の形式で印刷されている。
【００１３】
読取部３は、操作面の上方の装置外面に設けられ、操作面上の所定の位置に設けられた載置面にセットされた帳票７の読み取りを行う。読取部３は、読取対象の帳票７の画像を取得するスキャナあるいは電子カメラ等を備える。読取部３は、読み取った帳票７の画像を読取制御部４に出力する。
【００１４】
読取制御部４は、読取部３が読み取った帳票の画像を取得し、帳票の画像にもとづいて取引情報を検出し、取引情報を取引情報制御部５に出力する。
取引情報制御部５は、読取制御部４から帳票画像と取引情報を取得する。取引情報にもとづいて取引をした取引履歴情報と帳票画像とを対応づけて記憶部６へ格納する。
【００１５】
記憶部６は、取引装置１が有する記憶装置であり、可搬型記録媒体などでもよい。記憶部６は、取引履歴情報と帳票の画像とを対応づけて記憶する。記憶部６は、取引後に記憶した取引履歴情報や帳票の画像を参照する際に用いられる。
【００１６】
このように、取引装置１は、帳票の画像を読み取るとともに同画像から取引情報を検出するので、取引情報にもとづく取引履歴情報と取引情報を抽出した帳票の画像とは、同一の取引情報を含むものであり整合がとれた内容となる。
【００１７】
また、取引装置１は、帳票の画像を読み取るとともに当該帳票の画像から取引情報を検出するため、取引履歴情報に含まれる取引情報の改ざんや画像の取り違えは発生しない。
また、取引装置１は、外付けの読取部３で帳票７を読み取るため、取引中において帳票７は取引装置１の外部の載置面に存在しているが、利用者は帳票７をすり替えて画像を改変することはできない。取引装置１は、帳票７の画像を読み取る処理と取引情報を検出する処理の２つの処理は、一括して行うことができるためである。なお、取引装置１は、帳票７の画像を読み取る処理と取引情報を検出する処理の２つの処理を、利用者が帳票７をすり替えできない極めて短時間に実行することもできる。
【００１８】
また、取引装置１は、取引履歴情報と取引情報を検出した帳票の画像とを対応づけて記憶するため、金融機関等において取引後に監査を行う場合や、利用者から事後的に問合せがあった場合などにおいて、取引履歴情報と帳票の画像とを照合するのに適する。
【００１９】
［第２の実施形態］
次に、第２の実施形態として、取引装置１をＡＴＭに適用した取引システムについて図２を用いて説明する。図２は、第２の実施形態の取引システムの一例を示す図である。
【００２０】
金融機関等における取引システムは、図２に示すように、複数のＡＴＭ１０（図２ではその内の１台を図示）が備えられ、各ＡＴＭ１０はホストコンピュータ３００とネットワーク２００を介して接続されている。
【００２１】
ＡＴＭ１０は、読取台１２と、スキャナ１３と、顧客操作部１４と、カード／レシート部１５と、紙幣処理部１６と、テンキー入力部１７と、を有する。
読取台１２は、装置外面に設けられ、読取対象の帳票を載置する載置面１２ａを有する。載置面１２ａの大きさは、規格によって決められた帳票の最小サイズを超えない大きさに形成される。したがって、載置面１２ａは帳票の最小サイズと同じかそれより小さい。スキャナ１３は、読取台１２の載置面１２ａの上方の装置外面に設けられ、帳票の読取対象領域１２ｂを読み取る。スキャナ１３は、第１の実施形態の読取部３の一実施形態である。
【００２２】
顧客操作部１４は、ディスプレイとタッチパネルを有し、取引操作の案内と、指示の受付けとを行う。カード／レシート部１５は、キャッシュカードやクレジットカード等のカードを用いる取引において、カードの挿入と排出とを行う。また、取引終了時に発行するレシートを排出する。紙幣処理部１６では、入金及び出金取引の際に、紙幣の受け渡しを処理する。テンキー入力部１７は、数字等を入力するキーを備え、顧客操作部１４のタッチパネルと協働して利用者の指示を受け付ける。
【００２３】
利用者が帳票を用いて支払いを行う際の動作について説明する。利用者は、顧客操作部１４またはテンキー入力部１７を操作して帳票を用いた取引を指示する。次に、顧客操作部１４に表示される案内に従って帳票を読取台１２にセットする。ＡＴＭ１０では、帳票をスキャナ１３が読み取り、読取情報から検出した取引情報にもとづく取引内容の確認画面を顧客操作部１４に表示する。利用者は、顧客操作部１４にて取引内容を確認し、取引を行う場合には、紙幣処理部１６に現金を投入、またはカード／レシート部１５にキャッシュカード等を投入し、支払処理を行う。支払い完了後、カード／レシート部１５からレシートが出力される。取引にカードを用いていた場合には、レシートとともにカードが返却される。利用者は、これらを受取り、取引を完了する。
【００２４】
このような取引に関する情報と帳票の画像とを対応づけ、取引履歴情報（ジャーナル）としてＡＴＭ１０が備える記憶部に記憶される。なお、取引履歴情報については、後で図６および図７を用いて説明する。
【００２５】
ホストコンピュータ３００は、ネットワーク２００を介して、ＡＴＭ１０を管理し、ＡＴＭ１０とデータの送受信を行うコンピュータである。また、ホストコンピュータ３００は、ＡＴＭ１０が記録した取引履歴情報を受信し、取引履歴情報の表示や検索等ができる。ホストコンピュータ３００は、金融機関等において取引履歴情報の照合などに用いることができる。
【００２６】
このように、ＡＴＭ１０は、帳票の画像を読み取るとともに同画像から取引情報を検出するので、取引履歴情報に含まれる取引情報と帳票の画像とは、同一の取引情報を含むものであり整合がとれた内容となる。
【００２７】
また、ＡＴＭ１０は、帳票の画像を読み取るとともに当該帳票の画像から取引情報を検出するため、取引履歴情報に含まれる取引情報の改ざんや画像の取り違えは発生しない。
また、ＡＴＭ１０は、外付けのスキャナ１３で帳票を読み取るため、取引中において帳票はＡＴＭ１０の外部の読取台１２に存在しているが、利用者は帳票をすり替えて画像を改変することはできない。ＡＴＭ１０は、帳票の画像を読み取る処理と取引情報を検出する処理の２つの処理は、一括して行うことができるためである。なお、ＡＴＭ１０は、帳票の画像を読み取る処理と取引情報を検出する処理の２つの処理を、利用者が帳票すり替えできない極めて短時間に実行することもできる。
【００２８】
また、ＡＴＭ１０は、取引履歴情報と取引情報を検出した帳票の画像とを対応づけて記憶するため、金融機関等において取引後に監査を行う場合や、利用者から事後的に問合せがあった場合などにおいて、取引履歴情報と帳票の画像とを照合するのに適する。
【００２９】
次に、ＡＴＭについて図３を用いて説明する。図３は、第２の実施形態のＡＴＭのハードウェア構成の一例を示す図である。
ＡＴＭ１０は、制御部１１０と、ディスプレイ１４ａと、タッチパネル１４ｂと、スキャナ１３と、カード／レシート処理ユニット１５０と、紙幣処理ユニット１６０と、テンキー１７０と、対人センサ制御１８０と、を有する。
【００３０】
制御部１１０は、ＣＰＵ（Central Processing Unit）１１１、ＲＡＭ（Random Access Memory）１１２、第１ＨＤＤ（Hard Disk Drive）１１３ａ、第２ＨＤＤ１１３ｂ、外部通信インタフェース１１４、表示処理ユニット１１５、キー処理ユニット１１６及びＩ／Ｏ（Input／Output）制御部１１７を有し、各々がバス１１８を介して接続されている。なお、制御部１１０は、コンピュータの一例でもある。
【００３１】
ＣＰＵ１１１は、ＡＴＭ１０の全体動作を制御する。ＲＡＭ１１２には、ＣＰＵ１１１に実行させるＯＳ（Operating System）のプログラムやアプリケーションプログラムの少なくとも一部が一時的に格納される。また、ＲＡＭ１１２には、ＣＰＵ１１１による処理に必要な各種データが格納される。
【００３２】
第１ＨＤＤ１１３ａ及び第２ＨＤＤ１１３ｂには、ＯＳやアプリケーションプログラムや取引履歴情報などを格納できる。第１ＨＤＤ１１３ａと、第２ＨＤＤ１１３ｂとは、システム保護のために二重化されているが、いずれか一方のみで構成することもできる。また、第１ＨＤＤ１１３ａと第２ＨＤＤ１１３ｂは、ＳＳＤ（Solid State Drive）など他の記憶装置でも代用可能である。
【００３３】
外部通信インタフェース１１４は、外部のネットワーク２００に接続され、ホストコンピュータ３００との間でデータの送受信を行う。外部通信インタフェース１１４は、ホストコンピュータ３００から取引履歴情報等の送信要求を受信できる。また、外部通信インタフェース１１４は、ホストコンピュータ３００へ取引履歴情報等を送信できる。
【００３４】
表示処理ユニット１１５には、ディスプレイ１４ａが接続される。ディスプレイ１４ａは、タッチパネル１４ｂとともに顧客操作部１４を構成する。表示処理ユニット１１５は、ＣＰＵ１１１の制御の下に、操作案内等の各種情報をディスプレイ１４ａの画面に表示させる。
【００３５】
キー処理ユニット１１６には、タッチパネル１４ｂが接続される。タッチパネル１４ｂは、ディスプレイ１４ａの上層に形成される。キー処理ユニット１１６は、利用者の指がタッチパネル１４ｂに接触あるいは接近した画面上の位置を検出し、ＣＰＵ１１１に通知する。
【００３６】
Ｉ／Ｏ制御部１１７には、スキャナ１３、カード／レシート処理ユニット１５０、紙幣処理ユニット１６０、テンキー１７０及び対人センサ制御１８０が接続される。Ｉ／Ｏ制御部１１７は、ＣＰＵ１１１の制御の下に、接続する各部にＣＰＵ１１１からの指示を通知するとともに、各部から取得した情報をバス１１８経由でＣＰＵ１１１に送る。
【００３７】
スキャナ１３は、装置外面に設けられ、ＣＰＵ１１１の制御の下、装置外面の読取台１２にセットされた帳票の画像を取得して文字認識を行い、文字認識した結果を読取情報として出力する。このように、スキャナ１３による読み取りは装置外部で行われる。
【００３８】
カード／レシート処理ユニット１５０は、カード／レシート部１５に設けられ、カードの取り込みと排出、及びレシートの排出を制御する。また、取り込んだカードに付された磁気情報を読み込むとともに、カードの表面（エンボスが形成された面や、カード番号が印刷された面）の画像を取得する。
【００３９】
紙幣処理ユニット１６０は、紙幣処理部１６に設けられ、ＣＰＵ１１１の指示に従って紙幣の入出金と、扉の開閉とを制御する。テンキー１７０は、テンキー入力部１７に設けられ、利用者が押下したテンキーの情報を出力する。対人センサ制御１８０は、人の接近を検知する対人センサを制御し、ＡＴＭ１０に利用者が近付いたことを検出する。
【００４０】
可搬型記録媒体１９０は、例えば、ＤＶＤやＣＤ−ＲＯＭなどの記録媒体である。可搬型記録媒体１９０は、取引履歴情報を格納できる。取引履歴情報を格納した可搬型記録媒体１９０を回収することで、取引履歴情報をＡＴＭ１０の外部へ持ち出すことができる。
【００４１】
以上のようなハードウェア構成によって、本実施の形態の処理機能を実現することができる。なお、上記の構成は一例であり、ＡＴＭ１０の構成部の組み合わせは適宜決定される。上記構成のうち必要のないものを削除するとしてもよいし、例えば、手のひら静脈や指静脈を用いた生体認証部や非接触ＩＣに対応する非接触ＩＣ部、硬貨処理ユニット等を加えることもできる。
【００４２】
次に、ＡＴＭの機能について図４を用いて説明する。図４は、第２の実施形態のＡＴＭの機能ブロックの構成の一例を示す図である。
ＡＴＭ１０は、取引処理部４００が、スキャナ１３、外部通信インタフェース１１４、表示処理ユニット１１５、キー処理ユニット１１６、紙幣処理ユニット１６０及びカード／レシート処理ユニット１５０の各部を制御することによって、各種取引を実行する。
【００４３】
スキャナ１３は、撮像部１３１、撮像制御部１３２、文字／画像認識部１３３及び通信部１３４を有し、読取制御部４１０の指示に従って帳票の読み取りを行う。撮像部１３１は、帳票の画像を取得する。撮像制御部１３２は、通信部１３４を介して入力する読取制御部４１０の読取指示に従って撮像部１３１を制御し、撮像部１３１に撮像処理を行わせる。文字／画像認識部１３３は、撮像部１３１が取得した画像に文字認識を施し、文字認識した文字列からなる読取情報を生成する。通信部１３４は、読取制御部４１０との間の通信を制御し、読取制御部４１０からの読取指示を受信して撮像制御部１３２に通知し、文字／画像認識部１３３が生成した読取情報を読取制御部４１０に送信する。スキャナ１３は、読取制御部４１０と通信部１３４を介して接続されており、スキャナ１３と読取制御部４１０との間は通信ケーブルによって接続することができる。
【００４４】
取引処理部４００は、読取制御部４１０と、取引制御部４２０と、ホスト間通信制御部４２１と、表示制御部４２２と、キー入力処理部４２３と、入出金制御部４２４と、レシート発行制御部４２５と、を有する。各部の処理機能は、ＣＰＵ１１１がプログラムを実行することにより実現する。
【００４５】
読取制御部４１０は、スキャナ制御部４１１と、読取情報処理部４１２と、通信部４１３と、を有し、取引制御部４２０からの要求に従ってスキャナ１３による帳票の読み取りを制御する。スキャナ制御部４１１は、通信部４１３を経由してスキャナ１３に対し、帳票の読取指示を出力する。読取情報処理部４１２は、通信部４１３を経由して取得した読取情報を検査し、正しいと判定した読取情報から取引情報を検出する。例えば、帳票に印刷される文字列にチェックデジットが含まれていたときは、チェックデジットによって読取情報が正しく読み取れているか否かを判定する。また、文字列の所定の位置に予めセットされている文字が正しく読み取れたか否かでチェックするとしてもよい。読取情報が正しいと判定したときは、読取情報に含まれる取引情報を検出し、検出した取引情報を取引制御部４２０に出力する。読取情報が正しくないと判定したときは、スキャナ制御部４１１に対し、帳票の再読み取りを指示する。通信部４１３は、スキャナ１３との間の通信を制御して、スキャナ１３に対し帳票の読取指示を送信し、スキャナ１３から読取情報を受信する。
【００４６】
取引制御部４２０は、ＡＴＭ１０が行う各種取引を実行する複数のアプリケーションを有し、ホスト間通信制御部４２１、表示制御部４２２、キー入力処理部４２３、入出金制御部４２４及びレシート発行制御部４２５を制御して、利用者が指定した取引処理を行う。ホスト間通信制御部４２１は、取引制御部４２０に従って外部通信インタフェース１１４を介して外部のネットワーク２００経由で外部のホストコンピュータ３００との間の通信を制御する。表示制御部４２２は、表示処理ユニット１１５を制御し、取引制御部４２０に従ってディスプレイ１４ａに画面を表示する。キー入力処理部４２３は、キー処理ユニット１１６を介して入力するタッチパネル１４ｂの操作情報を取引制御部４２０に通知する。入出金制御部４２４は、取引制御部４２０に従って紙幣処理ユニット１６０を制御し、取引に伴う紙幣の入出金を行う。レシート発行制御部４２５は、取引制御部４２０に従って、取引終了時にレシートを発行し、カード／レシート処理ユニット１５０を介して発行したレシートを排出する。記憶部４２６は、取引制御部４２０に従って取引に用いるデータや取引履歴情報などを記憶する。
【００４７】
なお、上記の構成では、スキャナ１３において文字認識を行うとしたが、スキャナ１３は画像の取得のみを行い、読取制御部４１０で文字認識を行う構成としてもよい。
次に、帳票について図５を用いて説明する。図５は、第２の実施形態の帳票の一例を示す図である。
【００４８】
ＡＴＭ１０では、予め標準フォーマットが決められている帳票を読取対象として処理を行う。標準フォーマットとして、例えば、帳票の少なくとも一方向のサイズ、読取対象の取引情報が記載されている位置、その取引情報の記載形式等が決められている。以下、一例として、ペイジー（登録商標）の標準フォーマットに準拠した帳票を読取対象とした場合について説明する。
【００４９】
帳票５００は、電気料金の支払いに用いる払込取扱票であり、払込取扱票５００ａと、受領書兼金融機関控５００ｂとからなる。帳票５００の図５の縦方向のサイズと、払込取扱票５００ａ、受領書兼金融機関控５００ｂまでの横方向のサイズとは、規定帳票サイズとして予め大きさが決められている。受領書兼金融機関控５００ｂの右隣、すなわち、受領書兼金融機関控５００ｂの払込取扱票５００ａとは反対側に、収納機関が独自の形式で拡張エリアを追加することができる。この拡張エリアの有無によって帳票５００の全体のサイズが変わる。
【００５０】
払込取扱票５００ａの予め決められた位置には、取引情報を記載した取引番号情報５１０と、取引情報を含む読み取り用の文字列からなるＯＣＲ（Optical Character Reader）情報５２０と、が印刷されている。なお、図５に示したように、取引情報がバーコード形式で記載されていてもよい。
【００５１】
取引番号情報５１０には、取引情報として「収納機関番号」、「お客様番号」、「確認番号」などが印刷されている。利用者がペイジー（登録商標）での支払い操作を手入力によって行う場合には、この取引番号情報５１０の取引情報を参照し、取引を識別する番号（取引識別番号）を手入力する。収納機関によっては取引識別番号が２０桁を超え、手入力では入力間違いが生じやすい。
【００５２】
なお、取引識別番号は、取引番号情報５１０に含まれる取引情報のいずれかであってもよいし、取引番号情報５１０に含まれる取引情報の全てであってもよい。
ＯＣＲ情報５２０には、取引番号情報５１０の取引識別番号が予め決められた形式の文字列として記載される。また、ＯＣＲ文字列には、取引識別番号に加え、読み取った文字列を検査するためのチェックデジットが含まれる。
【００５３】
ＡＴＭ１０では、このような帳票５００のＯＣＲ情報５２０を読み取り、取引に必要な取引情報を取得する。
次に、取引履歴情報（ジャーナル）について図６を用いて説明する。図６は、第２の実施形態の取引履歴情報（口座引き落とし）の一例を示す図である。
【００５４】
取引履歴情報６００は、カードを用いた口座引き落としで、帳票取引を行った場合の取引の履歴情報の一例である。なお、取引履歴情報６００は１回の取引（１ブロック／１単位／１件）の履歴情報を示したものであり、ＡＴＭ１０が保持する取引履歴情報の全体では取引回数に応じた件数の履歴情報が含まれる。
【００５５】
取引履歴情報６００は、ＡＴＭ１０において口座引き落としで取引した履歴の情報である。取引履歴情報６００は、ＡＴＭ１０において紙に印字して保管したり、可搬型記録媒体１９０や第１ＨＤＤ１１３ａ及び第２ＨＤＤ１１３ｂに格納したりする情報である。また、各ＡＴＭ１０の取引履歴情報６００は、ホストコンピュータ３００からの要求に応じて、ネットワーク２００を介してホストコンピュータ３００へ送信し格納されてもよい。なお、取引履歴情報６００は、暗号化された後で、各ＡＴＭ１０で格納されてもよいし、送信されてもよい。
【００５６】
取引履歴情報６００は、取引番号と、日時と、帳票番号と、支払方法と、支払金額と、口座番号と、カードエンボス（カードの画像）と、帳票イメージ（帳票の画像）とを含む。
【００５７】
取引番号は、帳票５００のＯＣＲ情報５２０をスキャナ１３で読み取った取引識別番号を含む情報である。取引履歴情報６００では、「２０１４１０２０−００１−０１２２−５０００１１２３４５６７８９０１２３７１０２」が取引番号として示されている。なお、取引番号は、取引識別番号の一部を含む情報であってもよい。
【００５８】
日時は、取引を行った日時を示す情報である。取引履歴情報６００では、「２０１４年１０月２０日  ９：４２」が日時として示されている。なお、日時は、ＡＴＭ１０の操作に関する日時について記録してもよい。例えば、ＡＴＭ１０の操作開始／終了の日時や、カードを挿入した時間、帳票を読み取った時間、ＡＴＭ１０がホストコンピュータ３００に金銭取引のアクセスを開始した時刻、ＡＴＭ１０がホストコンピュータ３００に金銭取引のアクセスを終了した時刻、などを対応づけて記録してもよい。
【００５９】
帳票番号は、帳票を識別する情報であり、各帳票５００が有する固有の値であってもよいし、各ＡＴＭ１０が帳票について識別情報を付してもよい。
支払方法は、支払方法の種別を示す情報であり「口座引き落とし」または「現金」のいずれかを示す情報である。取引履歴情報６００では、「口座引き落とし」が支払方法の種別として示されている。
【００６０】
支払金額は、取引にて支払った金額を示す情報である。取引履歴情報６００では「￥１１１１１−」が口座引き落としの支払金額として示されている。
口座番号は、口座引き落とし処理で利用した口座を識別する番号である。取引履歴情報６００では、「０５６−０００３４５６７」が口座番号として示されている。
【００６１】
カードエンボス（カードの画像）は、「口座引き落とし」の処理の際にＡＴＭ１０が取り込んだカードの表面の画像である。
帳票イメージ（帳票の画像）は、帳票で振込を行う際にスキャナ１３で読み取った帳票５００の画像である。なお、帳票イメージは、帳票５００の全体画像であってもよいし、取引番号情報５１０やＯＣＲ情報５２０などが含まれる部分画像であってもよい。また、帳票イメージは、帳票５００のバーコード部分が含まれる部分画像であってもよい。
【００６２】
なお、取引履歴情報６００は、必要に応じて上述以外の情報で構成されてもよい。例えば、ＡＴＭ１０を設置した金融機関を識別する情報（店番）、ＡＴＭ１０を識別する情報（機番）、口座引き落とし金額、金融機関での案件を識別する情報（案件識別番号）、カード番号、カード有効期限などの情報を加えてもよいし、これらの情報を部分的に置き換えてもよい。
【００６３】
このように、取引履歴情報６００は、帳票５００をスキャナ１３で読み取った取引情報と、帳票５００の画像とを対応づけた情報である。また、取引履歴情報６００は、ＡＴＭ１０に取り込んだカードの画像と、スキャナ１３で読み取った取引情報と、帳票５００の画像とを対応づけた情報でもある。また、取引履歴情報６００は、ＡＴＭ１０の操作に関する履歴情報と、スキャナ１３で読み取った帳票５００の画像とを含む情報でもある。また、取引履歴情報６００は、ＡＴＭ１０とホストコンピュータ３００がアクセスした記録と、帳票５００をスキャナ１３で読み取った画像情報とを含む情報であってもよい。
【００６４】
取引履歴情報６００は、ＡＴＭ１０によって、帳票５００の画像を読み取るとともに帳票５００の画像から取引情報を検出して生成されるため、取引履歴情報に含まれる取引情報の改ざんや画像の取り違えは発生しない。
【００６５】
次に、取引履歴情報（ジャーナル）について図７を用いて説明する。図７は、第２の実施形態の取引履歴情報（現金）の一例を示す図である。
取引履歴情報７００は、ＡＴＭ１０において現金で取引をした履歴の情報である。取引履歴情報７００において、取引履歴情報６００との相違点は、支払方法と、支払金額と、入金と、出金と、カードエンボス（カードの画像）にかかる部分である。なお、現金の取引でありカードを利用しないため、カードエンボス（カードの画像）の情報と、口座引き落としの対象となる口座番号は存在しない。
【００６６】
支払方法は、支払方法の種別を示す情報である。取引履歴情報７００では、支払方法として「現金」を利用した例を示している。
支払金額は、取引にて支払った金額を示す情報である。取引履歴情報７００では、「￥１１１１１−」が現金での支払金額として示されている。
【００６７】
入金は、ＡＴＭ１０に入金した金額と、入金した紙幣または貨幣の種別と枚数を示している。取引履歴情報７００では、入金した金額は「￥１５０００」であり、入金した紙幣の種別「１万円券」が「１枚」と「５千円券」が「１枚」であることを示している。
【００６８】
出金は、ＡＴＭ１０から出金した金額と、出金した紙幣または貨幣の種別と枚数を示している。取引履歴情報７００では、出金した金額は「￥３８８９」であり、出金した紙幣は「千円券」が「３枚」であり、貨幣は「百円」が「８枚」と「十円」が「８枚」と「１円」が「９枚」であることを示している。
【００６９】
なお、取引履歴情報７００は現金取引の例でありカードの利用は無いため、カードの画像はＡＴＭ１０で取り込まれない。なお、支払金額は、取引にて支払った金額を示す情報であり、図６と同様である。
【００７０】
次に、第２の実施形態のＡＴＭ１０における帳票５００を用いた取引手順について、図８〜図１０に示した顧客操作部１４の表示画面を用いて説明する。
制御部１１０は、対人センサ制御１８０によって利用者が接近したことを検出すると、顧客操作部１４に取引選択画面を表示し、利用者に実行する取引を選択させる。
【００７１】
まず、第２の実施形態の顧客操作部の取引選択画面について図８を用いて説明する。図８は、第２の実施形態の顧客操作部の取引選択画面の一例を示す図である。
図８に示した取引選択画面８１０は、選択可能な取引に対応するボタン８１１〜８１６を表示する。図８の例では、預け入れ８１１、残高照会８１２、暗証番号変更８１３、引き出し８１４、通帳記入８１５及び帳票取扱い８１６の各ボタンが表示され、取引制御部４２０は押下されたボタンに対応する取引を行う。
【００７２】
取引制御部４２０は、キー入力処理部４２３を介して帳票取扱い８１６が押下されたことを検出し、帳票取引処理を開始する。帳票取引処理では、帳票のセットを利用者に促す帳票セット指示画面を顧客操作部１４に表示する。
【００７３】
次に、第２の実施形態の顧客操作部の帳票セット指示画面について図９を用いて説明する。図９は、第２の実施形態の顧客操作部の帳票セット指示画面の一例を示す図である。
図９に示した帳票セット指示画面８２０は、帳票のセットを指示するメッセージとともに、案内画面８２１と、確認ボタン８２３が表示される。
【００７４】
案内画面８２１では、読取対象の帳票５００を読取台１２にセットしたときの帳票位置８２２を点線で示している。確認ボタン８２３は、帳票５００をセットする利用者が帳票５００の位置を確認した後に押下するボタンである。
【００７５】
利用者は、確認ボタン８２３を押下して、案内画面８２１のように帳票５００を読取台１２にセットする。なお、帳票セット後に確認ボタン８２３を押下するようにしてもよい。
【００７６】
取引制御部４２０は、キー入力処理部４２３を介して確認ボタン８２３が押下されたことを検出し、帳票読取処理を開始する。取引制御部４２０は、読取制御部４１０に帳票５００の読取要求を出力し、読取制御部４１０はスキャナ１３に対し帳票５００の読み取りを指示する。スキャナ１３は、帳票５００のＯＣＲ情報５２０の画像を撮像し、文字認識処理を行って文字認識した結果を読取情報として読取制御部４１０に出力する。読取制御部４１０は、取得した読取情報に基づいて取引情報を検出し、取引制御部４２０に出力する。帳票５００のＯＣＲ情報５２０には、「収納機関番号」、「お客様番号」及び「確認番号」等の取引識別番号が印刷されており、読取制御部４１０は取引情報としてこの取引識別番号を検出する。取引制御部４２０は、読取制御部４１０から取得した取引情報に基づいて顧客操作部１４に取引内容表示画面を表示する。例えば、最初に読み取った取引識別番号を顧客操作部１４に表示し、利用者が取引識別番号を確認した後、ホスト間通信制御部４２１を介して関連情報を取得するとしてもよい。「収納機関番号」に対応する収納機関名や「お客様番号」に対応するお客様名を顧客操作部１４に表示する場合には、ホストに問い合わせ、これらの情報を取得する。
【００７７】
次に、第２の実施形態の顧客操作部の取引選択画面について図１０を用いて説明する。図１０は、第２の実施形態の顧客操作部の取引選択画面の一例を示す図である。
図１０に示した取引内容表示画面８３０は、帳票５００から読み取った取引情報と、ホストから取得した情報とにもとづく取引内容と、取消ボタン８３１と、確認ボタン８３２と、が表示される。取引内容表示画面８３０は、利用者が取引識別番号の確認を行った後に表示するとしてもよいし、取引識別番号の確認をせずに表示するとしてもよい。
【００７８】
取消ボタン８３１は、取引内容が異なる等の理由で取引を中断する場合に利用者が押下する。取消ボタン８３１が押下されたとき、取引制御部４２０は、取引処理を中断する。
確認ボタン８３２は、取引内容の取引を承認する場合に利用者が押下する。確認ボタン８３２が押下されたとき、取引制御部４２０は、表示した取引内容で取引を実行する。
【００７９】
このように、利用者は、取引選択として帳票取扱い８１６を選択し、顧客操作部１４に表示される案内に従って帳票を読取台１２にセットするだけで、煩わしいキー入力をすることなく、帳票を用いた取引をＡＴＭ１０で行うことができる。
【００８０】
次に、帳票を用いた取引に関し、ＡＴＭ１０が行う処理について、図１１〜図１４に示したフローチャートを用いて説明する。
まず、第２の実施形態の帳票取引処理について図１１を用いて説明する。図１１は、第２の実施形態の帳票取引処理のフローチャートを示す図である。
【００８１】
ここでは、図８に示した取引選択画面８１０において利用者が帳票取扱い８１６を選択した後の処理について説明する。帳票取扱い８１６が押下されたことにより、取引制御部４２０は、帳票取引処理を開始する。
【００８２】
［ステップＳ１１］取引制御部４２０は、図９に示した帳票セット指示画面８２０を顧客操作部１４に表示し、利用者に帳票セットを指示する。
利用者は、帳票セット指示画面８２０の案内画面８２１を参照して確認ボタン８２３を押下し、帳票５００を読取台１２にセットする。
【００８３】
［ステップＳ１２］取引制御部４２０は、利用者が確認ボタン８２３を押下したか否かをチェックする。取引制御部４２０は、確認ボタン８２３の押下が検出されたときは処理をステップＳ１３に進め、押下が検出されないときは待ち状態を継続する。
【００８４】
［ステップＳ１３］取引制御部４２０は、確認ボタン８２３が押下されたので、読取台１２にセットされた帳票について帳票画像読取処理を開始する。帳票画像読取処理の詳細は、後で図１２を用いて説明する。
【００８５】
［ステップＳ１４］取引制御部４２０は、帳票について帳票文字読取処理を開始する。
帳票文字読取処理の詳細は、後で図１３を用いて説明する。
帳票文字読取処理によって、取引制御部４２０は、帳票５００から読み取った読取情報にもとづく取引情報を得る。取引情報には、「収納機関番号」、「お客様番号」及び「確認番号」等の取引識別番号が含まれる。
【００８６】
［ステップＳ１５］取引制御部４２０は、ステップＳ１４で取得した取引識別番号を顧客操作部１４に表示する。また、取引制御部４２０は、同じ画面に確認ボタンと取消ボタンとを表示し、利用者に確認を促す。また、読み取りのため読取台１２にセットした帳票５００を読取台１２から撤去し、受け取るように促してもよい。
【００８７】
［ステップＳ１６］取引制御部４２０は、ホスト間通信制御部４２１を動作させて取引識別番号をホストコンピュータ３００へ送信し、取引が開始されたことを通知する。このとき、ホストコンピュータ３００から取引識別番号に対応する情報を取得するとしてもよい。
【００８８】
［ステップＳ１７］取引制御部４２０は、利用者が確認ボタン８３２を押下して取引識別番号を承認したのか、取消ボタン８３１を押下して取引識別番号を承認しなかったのかを確認する。取引制御部４２０は、利用者が取引識別番号を承認したときは、処理をステップＳ１９に進め、利用者が取引識別番号を承認しなかったときは、処理をステップＳ１８に進める。
【００８９】
［ステップＳ１８］取引制御部４２０は、利用者が取引識別番号を承認しなかったときは、帳票再セット指示を顧客操作部１４に表示し、処理をステップＳ１２に戻す。
［ステップＳ１９］取引制御部４２０は、利用者が取引識別番号を承認したときは、ホスト間通信制御部４２１を介してホストから取引に関する情報を取得し、図１０に示した取引内容表示画面８３０を顧客操作部１４に表示する。
【００９０】
［ステップＳ２０］取引制御部４２０は、利用者が取引内容表示画面８３０の確認ボタン８３２を押下したか否かを確認する。取引制御部４２０は、利用者が確認ボタン８３２を押下したことを検出したときは、処理をステップＳ２１に進め、押下したことを検出できなかったときは処理をステップＳ２２に進める。
【００９１】
［ステップＳ２１］取引制御部４２０は、利用者が取引内容表示画面８３０の確認ボタン８３２を押下し、取引内容を承認したときは、この取引内容に沿って請求金額を収納する収納処理を実行し、処理をステップＳ２３に進める。収納処理の詳細は、後で図１４を用いて説明する。
【００９２】
［ステップＳ２２］取引制御部４２０は、利用者が取引内容表示画面８３０の取消ボタン８３１を押下したか否かを確認する。取引制御部４２０は、利用者が取消ボタン８３１を押下して取引を中断するときは、ステップＳ２１の収納処理を行わず、処理をステップＳ２３に進める。取引制御部４２０は、利用者が取消ボタン８３１を押下していないときは、処理をステップＳ２０に戻し、ボタン操作の有無を確認する。
【００９３】
［ステップＳ２３］取引制御部４２０は、収納処理が終了、または、中断されたので、帳票取引処理を終了するため、顧客操作部１４に媒体受取画面を表示する。媒体受取画面は、利用者に対し、レシート媒体を受け取るように促す画面である。
【００９４】
［ステップＳ２４］取引制御部４２０は、ホスト間通信制御部４２１を介してホストに対し取引終了を送信する。
［ステップＳ２５］取引制御部４２０は、取引履歴情報と帳票の画像とを対応づけて記憶部４２６に記憶する。取引制御部４２０は、取引履歴情報を、暗号化して記憶部４２６に格納してもよい。また、取引制御部４２０は、取引履歴情報と帳票の画像と対応づけて記憶部４２６に記憶するとともに、ホスト間通信制御部４２１を動作させてホストコンピュータ３００へ送信してもよい。
【００９５】
［ステップＳ２６］取引制御部４２０は、取引が終了したことを通知する取引終了画面を顧客操作部１４に表示する。
なお、図１１及び図１２、１３、１４に示すフローチャートは現金のみによる決済を説明したものである。決済手段はキャッシュカード等による口座引き落としとしてもよいが図中では省略する。
【００９６】
次に、第２の実施形態の帳票画像読取処理について図１２を用いて説明する。図１２は、第２の実施形態の帳票画像読取処理のフローチャートを示す図である。
帳票画像読取処理は、帳票取引処理のステップＳ１３で実行する処理である。帳票画像読取処理は、取引制御部４２０が読取制御部４１０に読取要求を出力して処理が開始される。
【００９７】
［ステップＳ３１］読取制御部４１０では、スキャナ制御部４１１が、通信部４１３経由でスキャナ１３に対して読取台１２上の帳票５００の読み取りを指示する。
［ステップＳ３２］スキャナ１３は、通信部１３４を介して読取指示を取得する。撮像制御部１３２が、撮像部１３１を動作させて帳票５００の画像を取得する。取得した画像データは、文字／画像認識部１３３に送られる。また、画像データは、取引履歴情報に対応付けて管理するため、通信部１３４を介して直接読み取り制御部４１０に送る。文字／画像認識部１３３は、ＯＣＲ情報５２０が含まれる領域の画像データを取得し、終了する。
【００９８】
なお、文字／画像認識部１３３は、取引番号情報５１０とＯＣＲ情報５２０が含まれる領域の画像データを取得してもよい。また、文字／画像認識部１３３は、取引番号情報５１０とＯＣＲ情報５２０とバーコードが含まれる領域の画像データを取得してもよい。
【００９９】
次に、第２の実施形態の帳票文字読取処理について図１３を用いて説明する。図１３は、第２の実施形態の帳票文字読取処理のフローチャートを示す図である。
帳票文字読取処理は、帳票取引処理のステップＳ１４で実行する処理である。帳票文字読取処理は、帳票取引処理のステップＳ１３で取得した画像データにもとづき、文字を読み取る処理である。
【０１００】
［ステップＳ４１］文字／画像認識部１３３は、取得したＯＣＲ情報５２０の画像データに文字認識処理を施し、認識した文字列からなる読取情報を生成する。文字／画像認識部１３３は、読取情報を通信部１３４経由で読取制御部４１０に送信する。
【０１０１】
［ステップＳ４２］読取制御部４１０では、通信部４１３経由で読取情報を取得する。読取情報処理部４１２は、読取情報に含まれるチェックデジットを用いて読取情報を検査する。
【０１０２】
［ステップＳ４３］読取情報処理部４１２は、チェックデジット検査の結果がＯＫ（問題なし）であるか否かを判定する。読取情報処理部４１２は、検査結果がＯＫであれば、処理をステップＳ４４に進め、検査結果がＯＫでなければ、ステップＳ４１に戻って再読み取りを指示する。
【０１０３】
［ステップＳ４４］読取情報処理部４１２は、検査結果がＯＫであるので、読取情報は正常であると判定し、読取情報から取引識別番号を検出する。読取情報処理部４１２は、検出した取引識別番号を取引制御部４２０に出力し、処理を終了する。
【０１０４】
次に、第２の実施形態の収納処理について図１４を用いて説明する。図１４は、第２の実施形態の収納処理のフローチャートを示す図である。
収納処理は、帳票取引処理のステップＳ２１で実行する処理である。取引制御部４２０は、取引内容が利用者によって承認されたので、取引内容に基づいて収納処理を行う。
【０１０５】
［ステップＳ５１］取引制御部４２０は、入出金制御部４２４に指示し、請求金額の入金を受け付ける。入出金制御部４２４は、紙幣処理ユニット１６０を動作させ、利用者による請求金額の入金を待つ。入出金制御部４２４は、紙幣処理ユニット１６０が計数した入金額が請求金額に達したことを検出し、処理をステップＳ５２に進める。
【０１０６】
［ステップＳ５２］入出金制御部４２４は、紙幣処理ユニット１６０が計数した入金額を入金内容として取引制御部４２０に通知する。取引制御部４２０は、入出金制御部４２４経由で取得した入金内容を顧客操作部１４に表示し、利用者に確認を求める。
【０１０７】
［ステップＳ５３］取引制御部４２０は、利用者が入金内容を確認し、表示された入金内容を承認したか否かをチェックする。例えば、入金内容を表示する画面に確認ボタンを用意し、確認ボタンが押下されたか否かで承認されたか否かを判定する。入金内容が承認されたときは、処理をステップＳ５４に進め、承認されなかったときは処理をステップＳ５６に進める。
【０１０８】
［ステップＳ５４］取引制御部４２０は、利用者によって入金内容が承認されたときは、紙幣処理ユニット１６０内の紙幣から請求金額に相当する現金を装置内に収納する。
［ステップＳ５５］取引制御部４２０は、レシート発行制御部２２５に指示し、取引内容を表したレシートを発行させ、カード／レシート処理ユニット１５０からレシートを排出する。また、取引制御部４２０は、このとき釣銭があれば、釣銭を利用者に返却し、処理を終了する。
【０１０９】
［ステップＳ５６］取引制御部４２０は、利用者によって入金内容が承認されなかったときは、請求金額の返金を行う。取引制御部４２０は、入出金制御部４２４に指示し、紙幣処理ユニット１６０内の紙幣を利用者に返却する。
【０１１０】
［ステップＳ５７］入出金制御部２２４は、利用者による紙幣処理ユニット１６０内の現金抜き取りが完了したという通知を紙幣処理ユニット１６０から受け取るまで待つ。入出金制御部４２４を介して紙幣処理ユニット１６０による現金抜き取り完了の通知を受け取った取引制御部４２０は、取引を終了する。
【０１１１】
ＡＴＭ１０の各部において上記の処理手順が実行されることにより、帳票を用いた取引において利用者が取引情報を手入力する操作が必要なくなる。これにより、操作性が向上し、利用者の負担も軽減される。
【０１１２】
このように、ＡＴＭ１０は、帳票の画像を読み取るとともに同画像から取引情報を検出するので、取引情報にもとづく取引履歴情報と取引情報を抽出した帳票の画像とは、同一の取引情報を含むものであり整合がとれた内容となる。
【０１１３】
また、ＡＴＭ１０は、帳票の画像を読み取るとともに当該帳票の画像から取引情報を検出するため、取引履歴情報に含まれる取引情報の改ざんや画像の取り違えは発生しない。
また、ＡＴＭ１０は、外付けのスキャナ１３で帳票を読み取るため、取引中において帳票はＡＴＭ１０の外部の読取台１２に存在しているが、利用者は帳票をすり替えて画像を改変することはできない。ＡＴＭ１０は、帳票の画像を読み取る処理と取引情報を検出する処理の２つの処理は、一括して行うことができるためである。なお、ＡＴＭ１０は、帳票の画像を読み取る処理と取引情報を検出する処理の２つの処理を、利用者が帳票をすり替えできない極めて短時間に実行することもできる。
【０１１４】
また、ＡＴＭ１０は、取引履歴情報と取引情報を検出した帳票の画像とを対応づけて記憶するため、金融機関等において取引後に監査を行う場合や、利用者から事後的に問合せがあった場合などにおいて、取引履歴情報と帳票の画像とを照合するのに適する。
【０１１５】
なお、上記の処理機能は、コンピュータによって実現することができる。その場合、取引装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【０１１６】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１１７】
プログラムを実行するコンピュータは、例えば、可搬型記録媒体に記録されたプログラムもしくはサーバコンピュータから転送されたプログラムを、自己の記憶装置に格納する。コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送される毎に、逐次、受け取ったプログラムにしたがった処理を実行することもできる。
【０１１８】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【符号の説明】
【０１１９】
１  取引装置
３  読取部
４  読取制御部
５  取引情報制御部
６  記憶部
７  帳票
１０  ＡＴＭ
１２  読取台
１２ａ  載置面
１２ｂ  読取対象領域
１３  スキャナ
１４  顧客操作部
１５  カード／レシート部
１６  紙幣処理部
１７  テンキー入力部
２００  ネットワーク
３００  ホストコンピュータ
【図１】
0006346546.tif 000002
【図２】
0006346546.tif 000003
【図３】
0006346546.tif 000004
【図４】
0006346546.tif 000005
【図５】
0006346546.tif 000006
【図６】
0006346546.tif 000007
【図７】
0006346546.tif 000008
【図８】
0006346546.tif 000009
【図９】
0006346546.tif 000010
【図１０】
0006346546.tif 000011
【図１１】
0006346546.tif 000012
【図１２】
0006346546.tif 000013
【図１３】
0006346546.tif 000014
【図１４】
0006346546.tif 000015